(57)【要約】【課題】対物レンズを備えた可動体を支持するワイヤーと、フォーカシングおよびトラッキングコイル端末とが干渉することなく容易に電気的に接続することができる光ピックアップ装置を得る。【解決手段】対物レンズ４０、フォーカシングコイル２２およびトラッキング２４を有する可動体２０は、回路基板３０を一体に有し、回路基板３０は、支持体１３に支持された複数のワイヤー１９の先端部を結合するワイヤー結合部３３と、コイル端末の半田付けランド３４を有し、可動体２０は、各コイルの端末を回路基板３０の半田付けランド３４に導くためのガイド部３６と、各コイルの端末を絡げるための突起３８を有し、コイル端末は、ガイド部３６に導かれ、突起３８に絡げられて半田付けランド３４に半田付けされ、ワイヤー結合部３３と半田付けランド３４は配線パターン３５で接続されている。【選択図】図１７
2009070529.tif 000002
【特許請求の範囲】
【請求項１】
支持体と、この支持体に固着されたフォーカシング磁石と、上記支持体に固着されたトラッキング磁石と、上記支持体に片持ち的に支持された複数のワイヤーと、各ワイヤーの先端部に支持された可動体と、この可動体に固着され上記フォーカシング磁石に対向するフォーカシングコイルと、上記可動体に固着され上記トラッキング磁石に対向するトラッキングコイルと、上記可動体に支持された対物レンズと、を備えた光ピックアップ装置であって、
上記可動体は、回路基板を一体に有し、
上記回路基板は、上記ワイヤーを結合するワイヤー結合部と、フォーカシングコイルの端末とトラッキングコイルの端末の半田付けランドを有し、
上記可動体は、上記各コイルの端末を上記回路基板の半田付けランドに導くためのガイド部と、上記各コイルの端末を絡げるための突起を有し、
上記フォーカシングコイルおよびトラッキングコイルの端末は、上記ガイド部に導かれ、上記突起に絡げられて上記半田付けランドに半田付けされ、
上記ワイヤー結合部と半田付けランドは配線パターンで接続されていることを特徴とする光ピックアップ装置。
【請求項２】
回路基板のワイヤー結合部と半田付けランドは、回路基板の一端部と他端部にある請求項１記載の光ピックアップ装置。
【請求項３】
可動体のガイド部中心と、突起の中心を結ぶ仮想線の側方にワイヤー結合部がある請求項１記載の光ピックアップ装置。
【請求項４】
回路基板は、ワイヤー結合部と半田付けランドを、複数組並列に有している請求項１記載の光ピックアップ装置。
【請求項５】
各コイル端末は、それぞれガイド部に導かれて回路基板を跨ぎ、それぞれ突起に絡げられ、それぞれの半田付けランドに半田付けされている請求項１記載の光ピックアップ装置。
【請求項６】
各コイル端末をガイド部に掛ける向きと、突起に絡げる向きがお互いに逆向きになっていて、ワイヤー方向と各コイル端末方向が非平行である請求項５記載の光ピックアップ装置。
【請求項７】
ワイヤーは、ワイヤー結合部に半田付けにより結合されている請求項１記載の光ピックアップ装置。
【発明の詳細な説明】
【技術分野】
【０００１】
本発明は、光ディスクに記録されている情報の読み取り、または、書き込みに利用される光ピックアップ装置に関するものである。
【背景技術】
【０００２】
情報信号の記録媒体として、現在はコンパクトディスク（以降「ＣＤ」という）やデジタルヴァーサタイルディスク（以降「ＤＶＤ」という）などの光ディスクの情報媒体が主流である。ＣＤは主に音楽の情報記録媒体として利用され、また、ＤＶＤは映像音楽や映画などの情報記録媒体として利用されている。光ディスクは映像と共に音楽を収録できる程の大規模な記録領域を備え、かつ、筺体と媒体が非接触であるため、音楽、および、映像の品質が劣化することがないという利点がある。光ディスクが今までよりもさらに記録容量を上げるためには、記録密度を高める必要がある。これに伴い、その記録密度の高い媒体の情報を読み出すために、高性能な光ピックアップ装置が必要である。
【０００３】
従来、ＣＤやＤＶＤなどの光ディスクに記録された情報を読み出し、および、書き込みする光ディスク装置が知られている。光ディスク装置は、光ディスクに記録されている情報を読取るために、水平方向に回転自在なテーブルに光ディスクを乗せて、光ディスクを回転させている。回転している光ディスクに対して、光ピックアップ装置から出射したレーザを照射し、光ディスクからの反射光を、ピックアップ内に付設した光検出素子で受光するように構成されている。光ディスクからの正確な反射光を受光するには、光ディスクに対して正確な位置に光を出射することが前提条件となる。
【０００４】
光ディスク装置が広く普及していくと同時に、製品の低価格化に向けて取り組むメーカーが増えている。低価格を実現する上で必要な要素の一つとして、製造コスト削減をすることが挙げられる。光ディスク装置を生産するうえで、品質を低下させない程度に、製品構造の簡略化することにより、製造時間が短縮し、製造コストの削減に繋がる。製造コストを削減すれば、製品の低価格化が実現可能となる。
【０００５】
従来の光ピックアップ装置について説明する。一般的に知られている光ピックアップ装置の構造のほとんどはコイル可動型である。コイル可動型とは、対物レンズを備えた可動体と、可動体を収納する支持体とを有しおり、可動体にはフォーカシング方向、および、トラッキング方向へ可動するためのコイルを備え、支持体にはフォーカシング方向、および、トラッキング方向へ、可動体を可動させるための磁石を備えている。フォーカシングコイル、および、トラッキングコイルと、磁石の間に生じる電磁力によって、可動体を正確なピックアップ位置に可動させることを実現している。上記のようにコイルが可動体に備えられている構造の光ピックアップ装置をコイル可動型という。コイル可動型は、可動体側に磁石ではなく、コイルを備えることで、可動体をより軽量にできるという利点がある。しかし、このコイル可動型には以下のような問題がある。
【０００６】
特許文献１には、コイル可動型の問題に着目した発明である。以下特許文献１について概略を説明する。可動体は、可動体に備えられたコイルに電流を印加させることにより、対応する磁石で形成されている磁力線の電磁力によって駆動する。コイルは、長時間電流を印加すると、電気抵抗により熱が発生してしまう。この熱が上昇し続けるとコイルの電力抵抗値が増加して、供給する電力量に対する感度が低下する。感度が低下することで、さらに電力抵抗値が増加するという悪循環作用が起きる。現在は、一般的に電圧駆動方式の光ピックアップの可動構造が主流であり、コイル発熱による抵抗値の増大が、直接変動成分としてシステムの不安定因子となる。上記問題を解決するため、コイル温度の上昇による、電圧感度の変動を抑制する発明が知られている。この文献にトラッキングコイル、フォーカシングコイル、および、線ばね（以降「ワイヤー」ともいう）の半田付けに関することが記載されているが、製造工程において半田付け作業の容易性について注目していない。
【０００７】
さらに、特許文献２には、フォーカス制御、トラッキング制御、および、ラジアンチルト補正制御に関する発明が記載されている。能動的制御に使用するアクチュエータとしては、非線形性等によるロストモーションを可能な限り低減する可動機構を採用している。この発明の中に金属製の線ばねの固定方法として半田付けの例を挙げている。任意の材質、任意の断面形状の線状ばねでなければ、半田付け加工時の熱に対応できないという記載があるが、これを解決するための方法は記されていない。しかも、本発明の意図とは異なる発明である。
【０００８】
上記各特許文献記載の発明は、フォーカシングコイルや、トラッキングコイル、または、ラジアンチルトコイルに関して、コイルの端末や、可動体を支持するワイヤーの接合について、その生産性の向上を図るための技術に関する記載がない。コイルの半田接合作業工程の留意点は、対象となる材質の耐熱性、作業工程の簡略化を目指した生産性、作業で破損した仕損部材の再生性である。
【０００９】
光ピックアップ装置に関する先行技術は、以下の特許文献に記載されているように、多数存在する。しかし、本発明が取り上げている技術課題に着目して、これを解決しているものは存在していない。
【００１０】
【特許文献１】特開２００３−２８１７４８号公報
【特許文献２】特開２００３−３４５３６８号公報
【特許文献３】特開２００１−３４４７７６号公報
【特許文献４】特開２００２−８２５６号公報
【特許文献５】特開２００２−１３３６８０号公報
【特許文献６】特開２００２−２３７０６８号公報
【発明の開示】
【発明が解決しようとする課題】
【００１１】
本発明は、対物レンズを支持する可動体において、この可動体を支持するワイヤーと、フォーカシングコイルおよびトラッキングコイルの端末とが干渉することなく、これを容易に電気的に接続することができること、そして、上記ワイヤーとコイル端末を、回路基板を介して別の場所で電気的に接続することができるようにして、これらの電気的な接続作業を簡略化することができる光ピックアップ装置を提供することを目的としている。
【課題を解決するための手段】
【００１２】
本発明は、支持体と、この支持体に固着されたフォーカシング磁石と、上記支持体に固着されたトラッキング磁石と、上記支持体に片持ち的に支持された複数のワイヤーと、各ワイヤーの先端部に支持された可動体と、この可動体に固着され上記フォーカシング磁石に対向するフォーカシングコイルと、上記可動体に固着され上記トラッキング磁石に対向するトラッキングコイルと、上記可動体に支持された対物レンズと、を備えた光ピックアップ装置であって、上記可動体は、回路基板を一体に有し、上記回路基板は、上記ワイヤーを結合するワイヤー結合部と、フォーカシングコイルの端末とトラッキングコイルの端末の半田付けランドを有し、上記可動体は、上記各コイルの端末を上記回路基板の半田付けランドに導くためのガイド部と、上記各コイルの端末を絡げるための突起を有し、上記フォーカシングコイルおよびトラッキングコイルの端末は、上記ガイド部に導かれ、上記突起に絡げられて上記半田付けランドに半田付けされ、上記ワイヤー結合部と半田付けランドは配線パターンで接続されていることを最も主要な特徴とする。
【発明の効果】
【００１３】
フォーカシングコイルおよびトラッキングコイルの端末は、ガイド部に導かれ、回路基板にある半田付けランドを通過し、突起に絡められて位置決めされ、半田付けランドに半田付けされる。この半田付けランドとワイヤー結合部は回路基板上において離れた位置にあって配線パターンで接続されているため、上記ワイヤーと、コイルの端末とを、回路基板上の別位置で半田付けすることができる。そのため、回路基板へのワイヤーの結合作業とコイル端末の半田付け作業とを個別に行うことができ、これらの作業の容易化を図ることが可能になった。また、各コイルの端末とワイヤーとの干渉を避けることができるため、この点からも、回路基板へのワイヤーの結合作業とコイル端末の半田付け作業が容易になり、半田付け作業の仕損率を減少することもできる。
【発明を実施するための最良の形態】
【００１４】
以下、本発明にかかる光ピックアップ装置の実施例について図面を参照しながら説明する。
図１、図２は、それぞれの角度から見た光ピックアップ装置の全体の構成を示している。図１と図２において、符号１０は磁性材からなるヨークを示しており、符号２０は可動体（以降「レンズホルダ」ともいう）を示している。ヨーク１０は、中央に長方形の窓孔を有する板を、上記窓孔を横切る互いに平行な２本の線に沿って折り曲げることにより横向きのＵ字形に形成されていて、相対向する上辺と下辺との間に生じている空間は可動体２０を収納する空間となっている。ヨーク１０の上辺と下辺が相対向する面、すなわち、上辺の下面と下辺の上面には磁石が固定されている。上下の磁石はそれぞれフォーカシング磁石１６とトラッキング磁石１７からなり、ヨーク１０に形成された上記窓孔がフォーカシング磁石１６の固定領域とトラッキング磁石１７の固定領域を区分している。ヨーク１０は、上記各磁石のバックヨークとして機能している。
【００１５】
図１において、ヨーク１０の下面にはブロック状の支持体１３が固着されている。支持体１３の下面には回路基板１５が固着されている。支持体１５は、直方体に近い形をしており、長手方向の両端部に、複数の孔が短手方向（図２において上下方向）に等間隔で形成されている。これら各孔にはワイヤー１９の一端部が挿通され、各ワイヤー１９の一端部はまた回路基板１５を厚さ方向に貫通して回路基板１５の所定の半田付けランドに半田付けされ、もって、各ワイヤー１９は回路基板１５に片持ち的に固定されている。図示の実施例では、支持体１３の長手方向両端部においてそれぞれ３本のワイヤー１９が配置されている。支持体１３の両端部から延び出た各ワイヤー１９は、ヨーク１０の側方を通り、各ワイヤー１９の先端部は、後で詳細に説明するように可動体２０の側面に固着された回路基板のワイヤー結合部に半田付けされることにより可動体２０が支持されている。
【００１６】
図３において、可動体２０は横長の直方体に近い形をしており、正面中央には円形の対物レンズ４０が備えられている。可動体２０の長手方向両端部には、縦長の窓孔２０Ａが形成されていて、この窓孔２０Ａ内にはヨーク１０の両側に形成された切り起こし部１０Ａが空間的余裕をもって進入している。可動体２０は例えば樹脂の一体成形によって製作されている。可動体２０には、上面と下面に、フォーカスコイル、および、トラッキングコイルを巻き付けるためのボビンとして機能する鍔付きの突部２９−１、２９−２が長手方向の両端部に一体に形成されている。上記突部２９−１にはフォーカシングコイル２２が巻かれ、突部２９−２にはトラッキングコイル２４が巻かれている。図３、図７において、可動体２０の上面右側と下面左側にフォーカシングコイル２２が、可動体２０の上面左側と下面右側にトラッキングコイル２４が配置されている。これらフォーカシングコイル２２は上記フォーカシング磁石１６と所定の間隙をおいて対向し、トラッキングコイル２４はトラッキング磁石１７と適宜の間隙をおいて対向している。
【００１７】
図４、図５において、符号３０は、可動体２０の長手方向両端面に一体に固着されている回路基板を示している。各回路基板３０は、ワイヤー結合部３３と、コイル端末半田ランド３４と、このワイヤー結合部３３とコイル端末半田ランド３４を電気的に接続する配線パターン３５からなる回路パターン組を３組備えている。各回路パターン組は互いに電気的に隔離されている。各回路パターン組を互いに電気的に隔離するために、図示の実施例では、コイル端末半田ランド３４の形成側からスリットが形成されている。各コイル端末半田ランド３４から各配線パターン３５が横方向（図１、図２、図４などでは上下方向）に伸び出している。各ワイヤー結合部３３は上記スリットの延長線上にあり、したがって、コイル端末半田ランド３４の配線パターン３５に沿った延長線の側方にワイヤー結合部３３が位置している。配線パターン３５のワイヤー結合部３３側の端部はワイヤー結合部３３に向かって折り曲げられた形になっていてワイヤー結合部３３に電気的につながっている。ワイヤー結合部３３も半田付けランドと実質的に同じである。可動体２０の両端面に固着される回路基板３０は可動体２０を挟んで対称に形成されている。
【００１８】
回路基板３０が固着される可動体２０の長手方向両端部は以下のように構成されている。図５、図６において、可動体２０の長手方向両端面には平面からなる回路基板固着部３１が形成され、この各回路基板固着部３１にそれぞれ回路基板３０の裏面が固着されている。可動体２０には、回路基板固着部３１に固着される回路基板３０を挟み込む位置に、３組のガイド部３６と絡げ部３８が形成されている。ガイド部３６は円柱状の突起であり、フォーカシングコイル２２またはトラッキングコイル２４の端末を回路基板３０の半田付けランド３４に導くためのものである。上記絡げ部３８は四角柱状の突起であり、上記ガイド部３６に導かれたコイル端末を半田付けランド３４に半田付けする前に絡げ部３８に絡げてコイル端末を安定化させるためのものである。すなわち、コイル端末は、これを絡げ部３８に絡げた後半田付けランド３４に半田付けする。各ガイド部３６の中心とこれに対応する絡げ部３８の中心を結ぶ仮想線に沿って回路基板３０の半田付けランド３４と配線パターン３５が配置され、上記仮想線の側方にワイヤー結合部３３が位置するように構成されている。上記のように構成されることにより、一組のガイド部３６と絡げ部３８との間に、回路基板３０を跨いでコイル端末が掛け渡される。この掛け渡されるコイル端末と回路基板３０の表面との間に適宜の間隔が生じるように、ガイド部３６と絡げ部３８は、それらの基部が段付きになっている。
【００１９】
可動体２０の各端面に形成されるガイド部３６と絡げ部３８の位置は、一組ごとに交互に反転している。すなわち、図５、図６において上下方向、図１、図２において左右方向中央のガイド部３６は回路基板３０の半田付けランド３４側に、絡げ部３８は回路基板３０のワイヤー結合部３３側にあるのに対し、両側のガイド部３６は回路基板３０のワイヤー結合部３３側に、絡げ部３８は回路基板３０の半田付けランド３４側にある。対をなすガイド部３６と絡げ部３８にはそれぞれコイル端末が巻き掛けられるが、ガイド部３６への巻回数は１回以下でよく、コイル端末の位置を定めるために掛ける程度でよい。絡げ部３８に対しては、コイル端末を安定化させるために適宜回数巻きかける。コイル端末のガイド部３６に対する巻き掛け方向と絡げ部３８に対する巻き掛け方向を互いに逆向きにすることにより、図１２ないし図１４に示すように、一組のガイド部３６と絡げ部３８の中心を結ぶ仮想線に対しコイル端末が斜めに掛け渡されている。このように、コイル端末が斜めに掛け渡されることにより、コイル端末をワイヤー結合部３３から遠ざけることができ、後で説明するワイヤー１９の半田付け作業の際に、コイル端末が障害にならないように考慮されている。
なお、上記ガイド部３６は突起でなくても構わない。例えば、コイル線が嵌る溝でもよいし、フックの状のものでもよい。
【００２０】
前記支持体１３の下面に固着されている回路基板１５に一端部が固着され、可動体２０の側方に延在しているワイヤー１９の先端近くが、可動体２０に付設された回路基板３０の、ワイヤー結合部３３に半田付けされることにより結合されている。可動体２０の両側方にそれぞれ３本のワイヤー１９が伸び出ていて、各ワイヤー１９の先端近くがワイヤー結合部３３に結合され、各ワイヤー１９は互いに平行になって可動体２０を支持している。各ワイヤー１９は、電気的な導体でありかつ弾性力のある素材からなり、外力が加わることにより、各ワイヤー１９を撓ませながら、所定の姿勢を保ったまま平行移動することができるようになっている。各ワイヤー１９は、前記一組のガイド部３６と絡げ部３８の中心を結ぶ仮想線と平行に伸び出ている。したがって、各ワイヤー１９の方向と、前述のようにしてガイド部３６と絡げ部３８の間に掛け渡された各コイル端末の方向は非平行になっている。
【００２１】
以上説明した実施例にかかる光ピックアップ装置の主要部にかかる部分の組み立て手順を概略的に説明する。まず、可動体２０の長手方向両側面の回路基板固着部３１に回路基板３０を接着その他適宜の手段で固着する。次に、可動体２０の鍔付きの突部２９−１と２９−２にそれぞれフォーカシングコイル２２とトラッキングコイル２４を、自動、あるいは手動で巻く。各コイル端末を所定のガイド部３６に掛け、回路基板３０を跨いで絡げ部３８に絡げ、さらに半田付けランド３４に半田付けする。最後に、可動体２０に対物レンズ４０を装着する。図１１ないし図１４は、上記のようにして各コイル端末を処理した状態を示している。これによって、可動体２０は実質的に対物レンズホルダーユニットを構成することになる。
【００２２】
次に、図１５ないし図１７に示すように、各回路基板３０の各ワイヤー結合部３３にワイヤー１９の先端部を半田付けする。ワイヤー１９の半田付けに当たっては、ワイヤー１９の方向と回路基板３０との方向、相対位置関係を、冶具の使用などにより精度よく定めて行う。
一方、予め支持体１３とヨーク１０を結合し、支持体１３の下面に回路基板１５を固着しておく。上記各ワイヤー１９の一端部を支持体１３の所定の各孔に挿入しながら、ヨーク１０の上辺と下辺にそれぞれ固定されているフォーカシング磁石１６およびトラッキング磁石１７相互間に形成されている空間に、上記可動体２０を挿入し、所定の位置に位置決めする。各ワイヤー１９の一端部はさらに回路基板１５の所定の孔を貫通するので、この貫通孔の周囲に形成されている半田付けランドに半田付けしてワイヤー１９を固定する。このようにして、可動体２０はワイヤー１９を介して支持体１３によって支持される。前述のように、可動体２０は、外力が加わると各ワイヤー１９が互いに平行に撓むことによって所定の姿勢を保ったまま平行移動することができる。
【００２３】
各ワイヤー１９は、可動体２０を支える弾性体であるとともに、導電材料からなっていて、支持体１３側の回路基板１５から各フォーカシングコイル２２とトラッキングコイル２４に制御電流を流すためのワイヤーとしても機能する。フォーカシングコイル２２に制御電流が流れると、フォーカシング磁石１６によって形成されている磁界との間で生じる電磁力により、可動体２０は対物レンズ４０の光軸方向に駆動されフォーカシング制御が行われる。トラッキングコイル２４に制御電流が流れると、トラッキング磁石１７によって形成されている磁界との間で生じる電磁力により、可動体２０は対物レンズ４０の光軸に直交する方向でありかつ図示されない光ディスクの記録トラックを横切る方向に駆動されトラッキング制御が行われる。
【００２４】
以上説明した実施例によれば、フォーカシングコイル２２およびトラッキングコイル２４の端末は、ガイド部３６に導かれ、回路基板３０にある半田付けランド３４を通過し、突起からなる絡げ部３８に絡められて位置決めされて半田付けランド３４に半田付けされる。この半田付けランド３４とワイヤー結合部３３は回路基板３０上において離れた位置にあって配線パターン３５で電気的に接続されているため、ワイヤー１９と、コイルの端末とを、回路基板３０上の別位置で半田付けすることができる。そのため、回路基板３０へのワイヤー１９の結合作業とコイル端末の半田付け作業とを個別に行うことができ、これらの作業の容易化を図ることが可能になった。また、各コイルの端末とワイヤー１９との干渉を避けることができるため、この点からも、回路基板３０へのワイヤー１９の結合作業とコイル端末の半田付け作業が容易になり、半田付け作業の仕損率を減少することもできる。
【００２５】
そのほか、図示の実施例に拠れば、各コイル端末が、それぞれガイド部３６に導かれて回路基板３０を跨ぎ、それぞれ突起からなる絡げ部３８に絡げられ、それぞれの半田付けランド３４に半田付けされ、これに加えて、各コイル端末をガイド部３６に掛ける向きと、絡げ部３８に絡げる向きがお互いに逆向きになっていて、ワイヤー方向と各コイル端末方向が非平行となっているため、回路基板３０へのワイヤー１９の結合作業とコイル端末の半田付け作業が一層容易になり、歩留まりをさらに高めることができる。図示の実施例はスリムピックアップ形を想定しており、可動体の高さを縮小化しているため上記のようにワイヤー方向と各コイル端末方向とを非平行としているが、ハーフヘイトのような高さ方向に余裕がある可動体であれば各コイル端末を、ワイヤーに緩衝しない様に、ワイヤー方向に対して平行に走らせ、その途中に半田付けランドを備えることも可能である。また、ワイヤー１９と各コイルの端末が、ガイド部３６に案内され、回路基板３０上で、それぞれが半田付けされることにより、お互いが干渉することなく正確な導電接続を実現している。また、回路基板３０がワイヤー１９と各コイル端末の半田付けランド部を備えることにより、ワイヤー１９と各コイル端末を正確な位置で半田付けすることができる。
【００２６】
なお、回路基板３０と可動体２０とは、組立工程において一体化すればよいので、例えば、回路基板３０は耐熱処理を施した素材とし、可動体２０は軽量を重視した素材で製造することで、無駄なコストを削減しながら、合目的的な設計にすることが可能である。図示の実施例は、対物レンズ４０の光軸が水平方向を向いたものとして描いてあり、これにしたがって説明したが、対物レンズ４０の光軸が垂直方向に向いた姿勢、あるいは適宜の角度に傾いた姿勢で使用されることもあり、本発明にかかる光ピックアップは、どのような姿勢であっても適用可能である。
【図面の簡単な説明】
【００２７】
【図１】本発明にかかる光ピックアップ装置の実施例を示す斜視図である。
【図２】上記実施例を別の角度から見た斜視図である。
【図３】本発明にかかる光ピックアップ装置の実施例を示す正面図である。
【図４】本発明にかかる光ピックアップ装置の実施例を示す右側面図である。
【図５】上記実施例中の可動体と回路基板を示す分解斜視図である。
【図６】上記可動体と回路基板を底面側から見た斜視図である。
【図７】上記可動体と回路基板を示す正面図である。
【図８】上記可動体と回路基板を示す右側面図である。
【図９】上記可動体と回路基板を上面側から見た斜視図である。
【図１０】上記可動体と回路基板を底面側から見た斜視図である。
【図１１】上記実施例においてコイル端末処理を施した状態の可動体を示す正面図である。
【図１２】上記実施例においてコイル端末処理を施した状態の可動体を示す右側面図である。
【図１３】上記コイル端末処理を施した状態の可動体を上面側から見た斜視図である。
【図１４】上記コイル端末処理を施した状態の可動体を下面側から見た斜視図である。
【図１５】上記コイル端末処理を施した状態の可動体にワイヤーを実装した状態を示す正面図である。
【図１６】上記ワイヤーを実装した可動体の右側面図である。
【図１７】上記ワイヤーを実装した可動体を斜め上から見た斜視図である。
【符号の説明】
【００２８】
１０  ヨーク
１３  支持体
１５  回路基板
１６  フォーカシング磁石
１７  トラッキング磁石
１９  ワイヤー
２０  可動体
４０  対物レンズ
２２  フォーカシングコイル
２４  トラッキングコイル
２９−１  突部
２９−２  突部
３０  回路基板
３３  ワイヤー結合部
３４  半田付けランド
３５  配線パターン
３６  ガイド部
３８  絡げ部
４０  対物レンズ
【図１】
2009070529.tif 000003
【図２】
2009070529.tif 000004
【図３】
2009070529.tif 000005
【図４】
2009070529.tif 000006
【図５】
2009070529.tif 000007
【図６】
2009070529.tif 000008
【図７】
2009070529.tif 000009
【図８】
2009070529.tif 000010
【図９】
2009070529.tif 000011
【図１０】
2009070529.tif 000012
【図１１】
2009070529.tif 000013
【図１２】
2009070529.tif 000014
【図１３】
2009070529.tif 000015
【図１４】
2009070529.tif 000016
【図１５】
2009070529.tif 000017
【図１６】
2009070529.tif 000018
【図１７】
2009070529.tif 000019